(57)【要約】【課題】ハンガーフック内径空隙部を比較的大きくし、一般に使用されているどの陳列台のパイプ外径にも適応できるようにすると共に、ハンガーフック内径空隙部の上部に凹所を形成することによって、ハンガーフックを陳列台のパイプに吊るした際に、その凹所に陳列台のパイプ外径は嵌まり込むようにすることにより一つのハンガフックでもどの陳列台のパイプ外径にも適応できることになると共に、ハンガーフックの材質を圧縮パルプよりなるファイバーフックとすることによって、分別することなくそのまま廃棄することができるハンガーフックを提供する。【解決手段】圧縮パルプよりなる着脱自在のファイバーフックであって、上方部は鉤手状フックの内径の入口部はハンガー什器の掛け止め丸ポールの外径より若干大きめの入口間隙部を形成してあり、、且つ円形状のファイバーフックの内径上部中央部に弧状凹所を形成してあると共に、下部に左右に係止用スリットを左右に形成してなる。【選択図】図１
0003141438.tif 000002
【実用新案登録請求の範囲】
【請求項１】
圧縮パルプよりなる着脱自在のファイバーフックであって、上方部は鉤手状フックの内径の入口部はハンガー什器の掛け止め丸ポールの外径より若干大きめの入口間隙部を形成してあり、、且つ円形状のファイバーフックの内径上部中央部に弧状凹所を形成してあると共に、下部に左右に係止用スリットを左右に形成してなることを特徴とするハンガーフック。
【請求項２】
弧状凹所は、その弧状凹所の内側中央部に更により小径の弧状凹所を形成してある請求項１記載のハンガーフック。
【考案の詳細な説明】
【技術分野】
【０００１】衣類ハンガーに使用するフックに関し、陳列台のパイプ径を問わずに安定的、汎用的に掛け止めできるハンガーフックに関する。
【従来技術】
【０００２】従来のハンガーフックは、陳列台のパイプ外径に合わせたハンガーフック内径空隙部としたものが多く、又、そのハンガーフック内径空隙部に比較して陳列台のパイプの外径が小さかった場合、パイプに吊るしたハンガーの安定性が悪くなることは避けられない。（例えば、特許文献１、特許文献２）
【０００３】
【特許文献１】特開２０００−３７２７１号
【０００４】
【特許文献２】特開２００２−２９３３９１号
【考案の開示】
【考案の解決しようとする課題】
【０００５】特許文献１及び特許文献２のフックでは、このフックの内部空隙部より格段に陳列台のパイプ外径が細い場合には、フックの吊り下げに安定性を損なうことになる。
【０００６】従って、本考案の目的とするところは、この考案は、ハンガーフック内径空隙部を比較的大きくし、一般に使用されているどの陳列台のパイプ外径どれにも適応できるようにすると共に、ハンガーフック内径空隙部の上部に凹所を形成することによって、ハンガーフックを陳列台のパイプに吊るした際に、その凹所に陳列台のパイプ外径は嵌まり込むようにすることにより、一個のハンガフックがどの陳列台のパイプ外径にも安定的に適応できることとする。ハンガーフックの材質を圧縮パルプよりなるファイバーフックとすることによって、廃棄時に分別することなく、そのまま廃棄することができるハンガーフックを提供する。
【課題を解決するための手段】
【０００７】本考案は、上記の問題点に鑑み、圧縮パルプよりなる着脱自在のファイバーフックであって、上方部は鉤手状フックの内径の入口部はハンガー什器の掛け止め丸ポールの外径より若干大きめの入口間隙部を形成してあり、、且つほぼ円形状のファイバーフックの内径上部中央部に弧状凹所を形成してあると共に、下部に左右に係止用スリットを左右に形成してなるハンガーフックとした。
【０００８】吊り掛け安定性を付与するために、弧状凹所は、その弧状凹所の内側中央部に更により小径の弧状凹所を形成してあるものである。
【考案の効果】
【０００９】この考案は、圧縮パルプよりなる着脱自在のファイバーフックであって、上方部は鉤手状フックの内径の入口部はハンガー什器の掛け止め丸ポールの外径より若干大きめの入口間隙部を形成してあり、、且つ円形状のファイバーフックの内径上部中央部に弧状凹所を形成してあると共に、下部に左右に係止用スリットを左右に形成してなるハンガーフックとしてあることにより、廃棄時には、分別は不要で且つリサイクルすることも出来る他、現在一般に使用されているどの陳列台の什器パイプの外径にも安定的に使用することができると共に、仮に最も太い陳列台の什器パイプの外径に適用した場合にも、入れやすく、外れにくい構造としたものである。
【考案を実施するための最良の形態】
【００１０】本考案は、上記の問題点に鑑み、圧縮パルプよりなる着脱自在のファイバーフックであって、上方部は鉤手状フックの内径の入口部はハンガー什器の掛け止め丸ポールの外径より若干大きめの入口間隙部を形成してあり、、且つ円形状のファイバーフックの内径上部中央部に弧状凹所を形成してあると共に、下部に左右に係止用スリットを左右に形成してなるハンガーフックとした。
【実施例】
【００１１】衣類のハンガーは主として二つの部品からなっている。即ち、厚紙よりなるハンガー本体１と、そのハンガー本体の上部に着脱自在に取り付け得るハンガーフック２とである。従って、ハンガー本体１の頂部に設けたフック取付け用溝孔３にハンガーフック２の下部を離脱不能に固定することによって衣類の掛け吊りハンガーが完成する。【００１２】以下、本願考案の上記のハンガーフック２を更に、詳細に説明する。
ハンガーフック２は厚み約１ｍｍの圧縮パルプよりるファイバーフックであって、その上部片側には入口部４を開口し、円形状鉤手部５としてある。円形状鉤手部５の内部は空洞部６である。空洞部６の内周部の中央頂部は、図１に示すように、凹所７を形成してある。シングルハンガー、傾斜ハンガー等の各種陳列用のハンガー什器の掛け止め丸ポールの外径は、細いものの外径Ｐ２は２ｍｍ、現在最も太いものではその外径Ｐ１は２５．４ｍｍのものまで大小様々のものが現在一般に使用されている。【００１３】従来、この種のハンガーフック２は、陳列用什器の丸ポール外径に適合する外径のものを個々に製作して使用することが多かった。ハンガーフック２の内径が陳列用什器の丸ポール外径より小さいものは使用不可能になり、逆に、ハンガーフック２の内径が陳列用什器の丸ポール外径より大きい場合、ハンガーフック２を掛けた場合に、不安定になる傾向がある。陳列用什器の丸ポール外径に適合する外径のものを個々に製作した場合、ハンガーフック２の単価が高価になることは避けられない。【００１４】このような欠点を解決すべく、陳列用什器の掛け止め丸ポールの種々の外径に安定的、汎用的に使用可能とすべく、現在一般的に使用されている陳列用什器の掛け止め丸ポールの最大外径は２５．４ｍｍであるから、この外径に合わせてハンガーフック２の入口部４の間幅Ｌは２７ｍｍとし、略円形部の内径Ｄは３０ｍｍとしてある。【００１５】更に、ハンガー什器の掛け止め丸ポールの外径が最小径のものでは、その外径は２ｍｍであるから、そのような最小径のハンガー什器の掛け止め丸ポールに適合すべく、ハンガーフック２の略円形状の内部空洞部６の内周部の頂部は、図１に示すように、弧状凹所７を形成してあるから、このようなハンガー什器の掛け止め丸ポールは、この弧状凹所７に嵌まり込みで安定するようになる。【００１６】なお、ハンガー什器の掛け止め丸ポールの最も細いものでは、図３に示すように、より安定的、汎用性を付与するために弧状凹所７の内側中央部に、この弧状凹所７より更に小径の弧状凹所８を形成してもよい。
このように大径の弧状凹所から小径の弧状凹所までを複数箇所の弧状凹所を設けた場合、様々な種類のハンガー什器の掛け止め丸ポールの外径にも一個のハンガーフック２で安定的な掛け止めが可能となる。【００１７】このハンガーフック２の下部には両側に厚紙を挿通し得るスリット９、９が形成され、該スリット９、９の上下に一対の係止片１０、１０が形成されている。このスリット９、９と係止片１０、１０とによってハンガー本体１の頂部に設けた溝孔３にハンガーフック２の下部を固定するようにする。
【図面の簡単な説明】
【００１８】
【図１】ハンガーフックの平面図
【図２】ハンガー本体の上部にハンガーフックを取り付けた示した平面図
【図３】他の実施例を示すハンガーフックの平面図
【図４】（イ）は大径の陳列用什器の丸ポールの断面図  （ロ）は小径の陳列用什器の丸ポールの断面図
【符号の説明】
１．．．ハンガー本体
２．．．ハンガーフック
３．．．フック取付け用溝孔
４．．．入口部
５．．．円形状鉤手部
６．．．空洞部
７．．．凹所
８．．．小径弧状凹所
９．．．スリット
１０．．係止片
Ｌ．．．入口部の間隔
Ｄ．．．フックの略円形部の直径
Ｐ１．．大径の陳列用什器の丸ポール
Ｐ２．．小径の陳列用什器の丸ポール
【図１】
0003141438.tif 000003
【図２】
0003141438.tif 000004
【図３】
0003141438.tif 000005
【図４】
0003141438.tif 000006